(57)【要約】      （修正有）【課題】毎年お盆に使用する盆飾り棚と後飾り棚を兼用することにより、各家庭で２つの飾り棚を持つ必要がなく、保管場所をとらず、毎年使用するものであるために保管場所を忘れたりすることがない仏前用飾り棚を提供するものである。【解決手段】後方に向って順次高くなる長方形状をなす複数枚の板材を喋番８で折り畳み自在に形成して左右側板２、２を形成し、この左右側板２、２を所定の間隔で立設して、その背面側を着脱自在の固定バー３により連結固定し、前記左右側板２、２の各段の上部に棚板４を着脱自在に取付けて階段状に形成すると共に、前記左右側板２、２の側面に盆提燈飾り棹５を着脱自在に立設した盆飾り棚と後飾り棚を兼用するようにしたものである。【選択図】図１
0003113237.tif 000002
【実用新案登録請求の範囲】
【請求項１】
後方に向って順次高くなる長方形状をなす複数枚の板材を喋番で折り畳み自在に形成して左右側板を形成し、この左右側板を所定の間隔で立設して、その背面側を着脱自在の固定バーにより連結固定し、前記左右側板の各段の上部に棚板を着脱自在に取付けて階段状に形成すると共に、前記左右側板の側面に盆提燈飾り棹を着脱自在に立設して、盆飾り棚と後飾り棚を兼用したことを特徴とする仏前用飾り棚。
【請求項２】
盆提燈飾り棹は、その中間で蝶番により折り畳み自在に形成されていることを特徴とする請求項１記載の仏前用飾り棚。
【考案の詳細な説明】
【技術分野】
【０００１】
本考案は毎年のお盆に用いる盆飾り棚と、葬儀後の四十九日間仏壇の前に置く後飾り棚とを兼用した仏前用飾り棚に関するものである。
【背景技術】
【０００２】
各家庭には、先祖を供養するため毎年、お盆には香炉、りん台、高月、花立、盆提灯などの仏具や供物を飾る盆飾り棚を仏壇の前に設置している。また葬儀が行なわれた時には、葬儀後四十九日間仏壇の前に仏具や供物を飾る後飾り棚を仏壇の前に設置している。この盆飾り棚や後飾り棚は、その期間が過ぎるとかたして保管しておく。盆飾り棚は次のお盆まで保管しておくが、葬儀後に使用する後飾り棚については、いつ使用するか分からないが、必要な時まで大切に保管している。
【０００３】
このように各家庭では、盆飾り棚と後飾り棚の２つの仏前用飾り棚を保管するのに場所をとり、また、後飾り棚は長い間保管したままとなることもあるので、保管した場所が分らなくなったり、長い間使用しないで保管したままにしておくと汚れてしまう問題があった。
【考案の開示】
【考案が解決しようとする課題】
【０００４】
本考案は上記問題点を改善し、毎年お盆に使用する盆飾り棚と後飾り棚を兼用することにより、各家庭で２つの飾り棚を持つ必要がなく、保管場所をとらず、毎年使用するものであるために保管場所を忘れたりすることがない盆飾り棚と後飾り棚とを兼用した仏前用飾り棚を提供することを目的とするものである。
【課題を解決するための手段】
【０００５】
本考案の請求項１記載の仏前用飾り棚は、後方に向って順次高くなる長方形状をなす複数枚の板材を喋番で折り畳み自在に形成して左右側板を形成し、この左右側板を所定の間隔で立設して、その背面側を着脱自在の固定バーにより連結固定し、前記左右側板の各段の上部に棚板を着脱自在に取付けて階段状に形成すると共に、前記左右側板の側面に盆提燈飾り棹を着脱自在に立設して、盆飾り棚と後飾り棚を兼用したことを特徴とするものである
【０００６】
本考案の請求項２記載の仏前用飾り棚は、盆提燈飾り棹が、その中間で蝶番により折り畳み自在に形成されていることを特徴とするものである。
【考案の効果】
【０００７】
本考案に係る請求項１記載の仏前用飾り棚によれば、盆飾り棚と後飾り棚とを兼用して一体に構成し、折り畳み方式としたことにより、各家庭で一軒に一つあれば良く、経済的で、保管に場所をとらず、また盆飾り棚として毎年使用されるので、置き場所を忘れたり、埃で過度に汚れたりする心配もない。
【０００８】
また請求項２記載の仏前用飾り棚によれば、盆提燈飾り棹は、折り畳み自在に形成されているので、コンパクトになり保管が容易である。
【考案を実施するための最良の形態】
【０００９】
以下本考案の実施の一形態を図１ないし図６を参照して詳細に説明する。図１は盆飾り棚１を組み立てた状態を示すもので、２は左右の側板で、この左右側板２、２を所定の間隔で立設して、その背面側を着脱自在の固定バー３により連結固定し、前記左右側板２、２の各段の上部に棚板４を着脱自在に取付けて階段状に形成すると共に、前記左右側板２、２の側面に盆提燈飾り棹５、５を着脱自在に立設し、この上部を巾木６で連結すると共に、盆提燈飾り棹５、５に盆提燈７、７をそれぞれ吊り下げたものである。
【００１０】
前記側板２は、後方に向って順次高くなる３枚の長方形状をなす板材２ａ、２ｂ、２ｃを喋番８で折り畳み自在に形成され、各板材２ａ、２ｂ、２ｃの上部の両側にタボ９が突設され、折り畳んだ状態では図３に示すようになる。また前記固定バー３は、図５に示すように２本の板材３ａ、３ｂをＸ字状にクロスさせてその交差部分を軸１０で折り畳み自在に連結されていると共に、板材３ａ、３ｂの上端と下端にはそれぞれ丸孔１２が開孔され、図２に示すようにここに側板２、２の背面に突設したねじ１３に蝶ナット１４で着脱自在に固定されている。
【００１１】
また棚板４は長方形状をなす木板で形成され、図４に示すようにその底面のコーナ−側の４か所に前記タボ９が嵌合するタボ穴１５が形成されている。また前記側板２、２の二段目の板材２ｂの横に立設された盆提燈飾り棹５は、図６に示すように下部角材５ａと上部角材５ｂとが喋番８により二つに折り畳み自在に連結され、図１に示すように上部角材５ｂの手前に横棹１７が突設され、ここにフック１８が取付けられている。更に下部角材５ａにはその上下に丸孔１２が開孔され、側板２の二段目の板材２ｂに突設したねじ１３に蝶ナット１４で取付けられるようになっている。
【００１２】
上記構成の盆飾り棚１は、お盆の時には図７に示すように組み立ててから、盆提燈飾り棹５と巾木６を図１に示すように組み立て、フック１８に盆提燈７を吊して完成する。この棚板４に香炉、りん台、高月、花立などを供える。またお盆が終わったら、盆提燈飾り棹５と棚板４、固定バー３をそれぞれ取り外し、盆提燈飾り棹５と側板２を喋番８で折り畳み、固定バー３は軸１０で回動させてコンパクトにして保管しておく。なお後飾り棚１９を組み立てる場合は、図７に示す状態に組み立てれば良い
【００１３】
なお上記説明では、固定バー５はＸ字状であるが、前記巾木６と同様に左右側板２、２の背面の上下で連結して固定する構造でも良い。また巾木１３は必要に応じて取り付ければ良い。また上記説明では三段式の場合について示したが、二段式又は四段式など段数は任意に選定することができる。また側板２と棚板４との固定手段は蝶ナット１４以外に、例えば木工用ねじなどにより固定する構造でも良い。
【図面の簡単な説明】
【００１４】
【図１】本考案の実施の一形態による盆飾り棚の斜視図である。
【図２】図１に示す盆飾り棚の右側面図である。
【図３】図１の側板を折り畳んだ状態を示す斜視図である。
【図４】図１の側板と棚板の組み合せ状態を示す要部断面図である。
【図５】図１の固定バーを示す正面図である。
【図６】図１の盆提燈飾り棹を折り畳んだ状態を示す斜視図である。
【図７】本考案の他の実施の形態による後飾り棚の斜視図である。
【符号の説明】
【００１５】
１    盆飾り棚                                                
２    側板                                                    
２ａ、２ｂ、２ｃ    板材                                      
３    固定バー３                                              
３ａ、３ｂ    板材                                            
４    棚板                                                    
５    盆提燈飾り棹                                            
６    巾木                                                    
７    盆提燈                                                  
８    喋番                                                    
９    タボ                                                    
１０  軸                                                      
１２  丸孔                                                    
１３  ねじ                                                    
１４  蝶ナット                                                
１５  タボ穴                                                  
１７  横棹                                                    
１８  フック                                                  
１９  後飾り棚                                                
【図１】
0003113237.tif 000003
【図２】
0003113237.tif 000004
【図３】
0003113237.tif 000005
【図４】
0003113237.tif 000006
【図５】
0003113237.tif 000007
【図６】
0003113237.tif 000008
【図７】
0003113237.tif 000009